(57)【要約】【課題】本発明は、一度の操作で分解を実現できる腕装着型電子装置を提供することを目的とする。【解決手段】本発明に係る腕装着型電子装置は、両端に２つのバンド取付部がそれぞれに対向して設置され、同側の２つのバンド取付部の対向する表面には取付孔が設けられる上ケースと、両端に貫通孔がそれぞれ設けられ、且つ両端の側壁に突部が突設されているバンドと、端壁に突部を収容するための凹部が設けられている下ケースと、貫通孔を貫通し且つ両端が取付孔内に収容される伸縮ピンと、を備え、バンドの突部が下ケースの凹部内に挿入され、伸縮ピンがバンドの貫通孔内を貫通してから、伸縮ピンの両端が上ケースの取付孔内に収容されることによって、バンド及び下ケースが上ケースに連結される。【選択図】図２
2012078355.tif 000002
【特許請求の範囲】
【請求項１】
両端に２つのバンド取付部がそれぞれに対向して設置され、同側の２つの前記バンド取付部の対向する表面には取付孔が設けられる上ケースと、
両端に貫通孔がそれぞれ設けられ、且つ両端の側壁に突部が突設されているバンドと、
端壁に前記突部を収容するための凹部が設けられている下ケースと、
前記貫通孔を貫通し且つ両端が前記取付孔内に収容される伸縮ピンと、
を備え、
前記バンドの前記突部が前記下ケースの前記凹部内に挿入され、前記伸縮ピンが前記バンドの前記貫通孔を貫通してから、前記伸縮ピンの両端が前記上ケースの前記取付孔内に収容されることによって、前記バンド及び前記下ケースが前記上ケースに連結されることを特徴とする腕装着型電子装置。
【発明の詳細な説明】
【技術分野】
【０００１】
本発明は、腕時計のような腕装着型電子装置に関するものである。
【０００２】
腕装着型電子装置としては、電子腕時計が広く用いられている。通常、電子腕時計において、ケースとバンドとは伸縮ピンによって連結され、ケースの上ケース部と下ケース部とは、係合によって結合される。腕時計を分解する時、まずバンドをケースから分離してから、下ケース部を上ケース部から分離するため、分解過程が複雑である。
【発明の概要】
【発明が解決しようとする課題】
【０００３】
以上の問題点に鑑みて、本発明は、一度の操作で分解を実現できる腕装着型電子装置を提供することを目的とする。
【課題を解決するための手段】
【０００４】
前記問題を解決するために、本発明に係る腕装着型電子装置は、両端に２つのバンド取付部がそれぞれに対向して設置され、同側の２つのバンド取付部の対向する表面には取付孔が設けられる上ケースと、両端に貫通孔がそれぞれ設けられ、且つ両端の側壁に突部が突設されているバンドと、端壁に前記突部を収容するための凹部が設けられている下ケースと、前記貫通孔を貫通し且つ両端が前記取付孔内に収容される伸縮ピンと、を備え、前記バンドの突部が前記下ケースの凹部内に挿入され、前記伸縮ピンが前記バンドの貫通孔を貫通してから、前記伸縮ピンの両端が前記上ケースの取付部内に収容されることによって、前記バンド及び前記下ケースが前記上ケースに連結される。
【発明の効果】
【０００５】
本発明に係る腕装着型電子装置において、バンドの突部を下ケースの凹部内に挿入し、伸縮ピンがバンドの貫通孔を貫通してから、前記伸縮ピンの両端を上ケースのバンド取付部の取付孔内に収容させることによって、前記腕装着型電子装置の組立が完成する。従って、工具で前記伸縮ピンの両端を前記上ケースの取付孔から離脱させる、一度の操作で腕装着型電子装置の分解を実現する。よって、本発明に係る腕装着型電子装置の分解操作が容易である。
【図面の簡単な説明】
【０００６】
【図１】本発明に係る腕装着型電子装置の斜視図である。
【図２】本発明に係る腕装着型電子装置の分解図である。
【発明を実施するための形態】
【０００７】
以下、図面に基づいて、本発明に係る腕装着型電子装置について詳細に説明する。
【０００８】
図１を参照すると、腕装着型電子装置１００は、上ケース１０、下ケース２０、バンド３０及び２つの伸縮ピン４０を備える。前記上ケース１０と前記下ケース２０とは、前記バンド３０及び前記伸縮ピン４０によって連結される。
【０００９】
図２を参照すると、前記上ケース１０の両端側には、それぞれバンド取付部１１が２つずつ突設されている。前記上ケース１０の同側に位置する２つの前記バンド取付部１１の対向する面には、取付孔１２が設けられている。前記上ケース１０は、その両端側に位置する第一上辺縁部１３をさらに含み、各々の前記第一上辺縁部１３は、近傍に位置する２つの前記バンド取付部１１の上側を連結する。
【００１０】
前記下ケース２０の両端の端壁２１には、凹部２２がそれぞれに設けられている。本実施形態において、前記凹部２２は、前記端壁２１の長手方向に沿って設けられた細長い溝である。他の実施形態において、前記凹部２２の形状は楔状又はＴ状であることができる。前記上ケース１０と下ケース２０とは互いに結合して、密封空間を形成し、前記密封空間には、前記腕装着型電子装置１００の複数の必要部品が装着される。前記下ケース２０は、その両端側に位置する第一下辺縁部２３をさらに含む。
【００１１】
前記バンド３０の両端に近い部位には、それぞれ第二上辺縁部３３が設けられている。前記バンド３０の両端と２つの前記第二上辺縁部３３との間には、それぞれ段差部３２が形成されている。前記バンド３０の前記段差部３２に対応する内面は、第二下辺縁部３６である。各々の前記段差部３２と対応する前記第二下辺縁部３６との間には、幅方向に前記バンド３０を貫通する貫通孔３１がそれぞれに設けられている。前記バンド３０の両端の側壁３４には、それぞれ前記下ケース２０の凹部２２に対応する突部３５が設置されている。
【００１２】
前記段差部３２の深さは、前記上ケース１０の前記第一上辺縁部１３が位置する端部の厚さと一致するので、前記バンド３０と前記上ケース１０とが連結された時、前記第一上辺縁部１３と前記第二上辺縁部３３とは、同一面に位置する。前記バンド３０の段差部３２の底面と前記第二下辺縁部３６との間の厚さは、前記下ケース２０の前記第一下辺縁部２３が位置する端部の厚さと一致するので、前記バンド３０と前記下ケース２０とが連結された時、前記第一下辺縁部２３と前記第二下辺縁部３６とは、同一面に位置する。
【００１３】
前記伸縮ピン４０は、柱体４１及び前記柱体４１に位置する軸心４２を備える。前記軸心４２は、外力によって前記柱体４１内に挿入され、また前記柱体４１内のスプリング（図示せず）によって柱体４１の外部に露出される。前記柱体４１の長さは、前記上ケース１０の同側に位置する２つの前記バンド取付部１１の間の間隔とほとんど同じである。
【００１４】
前記腕装着型電子装置１００を組み立てる場合、まず、前記バンド３０の突部３５を前記下ケース２０の凹部２２内に挿入し、前記伸縮ピン４０を前記バンド３０の貫通孔３１に貫通させる。それから、前記伸縮ピン４０の軸心４２を前記上ケース１０の取付孔１２内に収容させる。これにより、前記バンド３０及び前記下ケース２０は、前記上ケース１０に連結される。前記腕装着型電子装置１００を分解する場合、工具で前記伸縮ピン４０の軸心４２を前記柱体４１内に挿入して前記軸心４２を前記上ケース１０の取付孔１２から離脱させることで、前記バンド３０及び前記下ケース２０を前記上ケース１０から分解する。よって、一度の操作で腕装着型電子装置１００の分解を実現できる。
【００１５】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００１６】
１００  腕装着型電子装置
１０  上ケース
１１  バンド取付部
１２  取付孔
１３  第一上辺縁部
２０  下ケース
２１  端壁
２２  凹部
２３  第一下辺縁部
３０  バンド
３１  貫通孔
３２  段差部
３３  第二上辺縁部
３４  側壁
３５  突部
３６  第二下辺縁部
４０  伸縮ピン
４１  柱体
４２  軸心
【図１】
2012078355.tif 000003
【図２】
2012078355.tif 000004